(57)【要約】  磁気共鳴検査システムは、分極化された双極子において共鳴を誘導し、検査されるべき物体から磁気共鳴信号を受信するためのRFシステムを含む。温度測定モジュールは、その磁気共鳴信号から検査されるべき物体の温度分布を導き出す。その磁気共鳴検査システムは、さらに、電磁放射線を放射するための光子源、その電磁放射線に軌道角運動量を分け与えるための位相ホログラムなどのモード変換器、及び転移した軌道角運動量によって双極子を分極化するために軌道角運動量が与えられた回折光子ビームをその位相ホログラムから選択するための空間フィルタを持つ光子がベースの過分極装置を含む。
2012529960.tif 000002
【特許請求の範囲】
【請求項１】
磁気共鳴検査システムであり、
‐分極化した双極子において共鳴を誘導し、検査されるべき物体から磁気共鳴信号を受信するためのRFシステム、
‐該磁気共鳴信号から前記検査されるべき物体の温度分布を導き出すための温度測定モジュール、を含み、
‐電磁放射線を放射するための光子源、
‐軌道角運動量を前記電磁放射線に分け与えるためのモード変換器、
‐転移した軌道角運動量によって前記双極子を分極化するために、位相ホログラムから軌道角運動量が与えられた回折光子ビームを選択するための空間フィルタ、
を持つ光子がベースである過分極装置、
をさらに含む、磁気共鳴検査システム。
【請求項２】
前記検査されるべき物体の運動を検出し、前記温度測定モジュールに運動修正を適用するための運動修正ユニットを含む、請求項1に記載の磁気共鳴検査システム。
【請求項３】
‐対象物において局部的にエネルギーを堆積させるための治療モジュール、
‐請求項1に記載の磁気共鳴検査システム、及び
‐前記温度測定モジュールによって供給される温度分布に基づいて、前記治療モジュールを制御するための治療コントローラ、
を含む、治療アセンブリ。
【発明の詳細な説明】
【技術分野】
【０００１】
本発明は、光子をベースにした過分極装置を備える磁気共鳴検査システムに関する。
【背景技術】
【０００２】
そのような磁気共鳴検査システムは、特許文献1において記載されている。この磁気共鳴検査システムは、光子をベースにして過分極装置を含む。特に、その過分極装置は、軌道角運動量が与えられたフォトニック（例えば光）ビームを生成する。その光ビームの軌道角運動量は、（核又は分子）双極子（又はスピン）と結合し、（核又は分子）分極を生成する。この分極は、高周波によって励起され、その励起の緩和において、磁気共鳴信号が生成される。これらの磁気共鳴信号から、磁気共鳴画像が再構成される。分極は、光ビームの軌道角運動量によって生成されることから、比較的高い信号対雑音比を持つ磁気共鳴信号を生成するためには、外部磁場は全く必要としないか、又は弱い磁場だけを必要とするかの何れか一方である。周知の磁気共鳴検査システムは、検査される物体の形態を撮像することが可能であり、特に、患者の人体の形態学的画像を撮像することが可能である。
【先行技術文献】
【特許文献】
【０００３】
【特許文献１】国際出願公開第PCT／IB2008／055444号パンフレット
【非特許文献】
【０００４】
【非特許文献１】R.Salomir  et  al.  “Local  hyperthermia  with  MR-guided  focused  ultrasound：spiral  trajectory  for  the  focal  point  optimized  for  temperature  uniformity  in  the  target  region”J.Magn.Res.Im  12（2000）571-583
【発明の概要】
【発明が解決しようとする課題】
【０００５】
本発明の目的は、空間的に分解される方法において温度を測定することが可能な、軌道角運動量による過分極に基づいた磁気共鳴検査システムを提供することである。
【課題を解決するための手段】
【０００６】
この目的は、本発明の磁気共鳴検査システムによって成し遂げられ、そのシステムは、
‐分極した双極子において共鳴を誘導し、検査される物体から磁気共鳴信号を受信するためのRFシステム、
‐検査されるべき物体の温度分布を磁気共鳴信号から導き出すための温度測定モジュール、
を含み、その磁気共鳴検査システムは、さらに、
‐電磁放射線を放射するための光子源、
‐軌道角運動量をその電磁放射線に分け与えるためのモード変換器、
‐位相ホログラムから転移した軌道角運動量によって双極子を分極化させるための、軌道角運動量が与えられた回折光子ビームを選択するための空間フィルタ、
を持つ光子をベースとした過分極装置、を含む。
【０００７】
本発明は、磁気共鳴信号の位相は温度に依存するという見識に基づく。本発明のさらなる見識は、磁気共鳴信号が、軌道角運動量が与えられた電磁気、特に光学ビームであるフォトニック（photonic）によって生成されるときも、これらの磁気共鳴信号は、局部的な温度情報を含むということである。磁気共鳴信号が空間的に、特に、読み出し符号化及び位相符号化の方法で符号化されるとき、その磁気共鳴信号の位相は、局地的な温度の情報を含む。そのフォトニックの、特に光学的な過分極アプローチで、空間符号化は、視野を通したビームを走査することによってなし遂げることもできる。従って、空間符号化に対する勾配磁場は、患者の運動が、位相に貢献しないように（温度に依存する位相だけを残す）、任意に省くことができる。
【０００８】
OAMが与えられた如何なる波長の電磁（EM）放射線も、分子と相互作用するときに核分極を誘導する。そのOAMが与えられた光子ビームは、光子源からの電磁放射線の光子ビームからモード変換器によって生成される。そのモード変換器は、例えば、任意に異なる角度で置かれた円筒レンズのセットを含む。その代わりに、そのモード変換器は、例えば、位相板又はホログラム板の形における位相ホログラムを含む。その位相ホログラムは、空間変調器を持つコンピュータで生成されたホログラムによって形成することもできる。そのような位相ホログラムの非常に実際的な実施形態は、ホログラム・パターンが上で生成されるいわゆるLCoS（Liquid  Crystal  on  Solicon）パネルによって形成される。
【０００９】
OAMが与えられた光子ビームは、光学ビームであってよく、すなわち、可視光放射線（例えば、380nmと780nmとの間）の範囲にある波長を有する。特に、400nm（紫外線）から1.3μm（遠赤外線）までの範囲にある波長を持つ光学的放射を使用することができる。紫外線から遠赤外線までの範囲にある波長に対し、半導体レーザー（例えば、GaN、GaAs又はGaInPに基づく）は、電磁放射線の源として使用することができる。その光学的放射線は、検査されるべき材料（例えば、組織）の分子において電子軌道と相互作用し、電子スピン配向を起こす。その光子ビームの軌道角運動量は、分子回転状態と結合し、それらの分子を配向させる。それに応じて、過分極が拡大される。ひき続き、超微細相互作用によって、電子スピンは、その材料の核に転移する。最後に、その過分極した核は、RFパルスによって励起（「フリップ（flipped）」）され、望ましい方向に戻ると（すりこぎ運動によって）磁気共鳴信号が生成される。その波長は、電子軌道を励起するために必要な吸収レベルに対して、例えば、組織などの検査される材料の中への必要とされる侵入度の間における適切な妥協に基づいて選択される。
【００１０】
分極度は、ビーム焦点スポットにおいて最も高く、それは、ビーム幅が減少すると共に増加することが分かっている。つまり、ビーム幅が小さいほど良いが、最小ビーム幅は、高度な分極（10‐20％よりも大きい）を達成するためには必要ではない。最後に、その論理は、分極の確率は、絶対ビーム幅に比例することを示す。
【００１１】
そのビームの焦点スポットは、横方向及び深さ位置に沿った方向の両方において、多数の方法で平行移動させることができる。ミラー／集束素子は、回転させるか又は物理的に平行移動させてもよい。集束素子の曲率半径は、焦点の深さが異なる深さに移動するように変えてもよく、ビーム・スプリッタ又はミラーは、各々が異なる焦点深さを有する交互に入れ替わる光子経路に沿って送信することができ、あるいは、その位相ホログラムの特性は、（例えば、コンピュータで制御されるLCoSパネル又は複数の位相板を使用することによって）OAMで恵まれたビームが異なる深さで焦点合わせするように変えることができる。異なる深さで焦点合わせするシステムを設計するとき、光源における波長が、望まれる深さの範囲に侵入することが可能であることを確かめることが重要である。
【００１２】
OAMが与えられた光子ビームは、光学ビーム、すなわち可視光線の範囲（例えば、380nmと780nmとの間）における波長を有するビームであってよい。その代わりに、紫外線（400nm未満）又は赤外線（780nmを超える）など他の波長範囲も使用することが出来る。これらの全ての例は、フォトニックという用語に含まれる。他のオプションは、0.8μmから1mまでの範囲における波長を有する軟X線又はマイクロ波放射線である。電磁線源は、従って、これらの範囲のいずれかの波長を持つ光子放射線を放射する。
【００１３】
しかし、分極及び究極な平衡分極が進む速度は、EM波長及びOAMの量によってより高いか又はより低くてもよい。実験及び理論は、OAMによって誘導された分極は、EMビーム半径が小さいとき、より効果的である（すなわち、OAMの光子から分子への転移の確率が増加する）ことを示す。より短い波長は、より小さいビーム半径に焦点合わせすることができることから、それらは、高い度合いの核分極を達成することに対してより効果的である可能性を有する。特定の分子標的とより強く相互作用する波長を選択することは、OAM転移、及び従って、核分極の効率も改善する。しかし、この条件に関して、例えば、過分極の速度と侵入深さとのトレードオフが望まれる場合、標的組織における分子と強く相互作用しない波長を選択することが有利である。
【００１４】
磁気共鳴信号から温度マップを生成することは、非特許文献1においてそれ自体考察されており、そこでは、磁気共鳴信号が、核又は分子の分極化を生成するために強い磁場を使用する磁気共鳴検査システムによって生成される。
【００１５】
温度測定は、位相に基づいた温度測定に加えて、周波数（又は周波数における変化）の正確な測定によってされ得る。その周波数に基づいた温度測定は、例えば、ポイント毎に実施され、このアプローチは、FOV内の各ポイントが過分極され、個別に調べられる（すなわち、FOVは、フーリエ領域の代わりに「画像領域」において直接サンプリングされる）。
【００１６】
高密度超音波ビームをガイドするために、弱い外部磁場だけが温度測定情報を生成するのに必要であるか、又は外部磁場は温度測定情報を生成するのに全く必要とされないことから、いくつかの利点が達成される。狭い穴を持つ高磁場磁気共鳴検査システムは必要でないが、例えば、1T又はそれ未満の磁界強度などの低磁場を持つオープン磁気共鳴検査システムは必要であることから、例えば、患者への0.23Tのアクセスはより簡単である。外部磁場が全く必要でない場合、その光子がベースである過分極装置は、ハンドヘルド装置として設計することができ、患者アクセスはかなり改善する。外部磁場が全く適用されない場合、金属装置の使用に関する制限は無い。さらに、本発明の磁気共鳴検査システムは、費用の高い主要磁石システムが必要でないことから、比較的費用が低い。
【００１７】
本発明のこれら及び他の態様は、従属請求項において定義される実施形態に関してさらに詳しく説明される。
【００１８】
本発明の磁気共鳴検査システムの実施形態は、運動検出モジュールを備えている。正確な結果は、運動修正が適用され、運動による位相貢献が温度変化による位相貢献から分離されるときに得られる。その運動修正は、磁気共鳴信号、特に、k空間の中心部分からの余分な磁気共鳴信号によって得ることができる。この目的を達成するために、k空間の中心をオーバーサンプリング（oversample）する、放射状、らせん状又はPROPELLER取得などの取得戦略が適切である。その代わりに、運動検出モジュールが、検査される患者における運動又はその患者の運動が導かれる磁気共鳴ナビゲータを適用するように構成されていてよい。運動検出モジュールは運動修正を導き、磁気共鳴信号に運動補償を適用するように備えられている。運動修正された磁気共鳴信号は、標的ゾーンの局部的な温度分布を導く温度測定モジュールに適用される。その代わりに、その運動補償モジュールは、運動による磁気共鳴信号の位相への貢献を個別に導き、温度変化による位相の貢献を生成するように構成されているか又はソフトウェアにおいてプログラムされていてよい。その検出された運動は、運動及び温度から磁気共鳴信号への位相貢献をそれぞれ分離するように温度測定モジュールに適用される。
【００１９】
本発明は、さらに、治療モジュール、磁気共鳴信号及び磁気共鳴検査システムの温度測定モジュールによって形成される温度分布に基づいて治療モジュールを制御する治療コントローラに関する。本発明のこの態様によると、温度測定モジュールは、治療モジュールをガイドするために使用される。その治療モジュールは、エネルギーを、望ましくはその患者における標的ゾーンにおいて局部的に堆積させる働きをする。従って、局部的にその温度が上昇し、それは、例えば、組織における壊死又は細胞死などの局部的な材料の変化を起こす。温度測定モジュールによって得られる温度分布に基づいて、その治療モジュールは、標的ゾーンの隣の健全な組織を避ける間に、その標的ゾーンにおいてエネルギーを正確に堆積させる。例えば、そのエネルギーは、腫瘍において堆積してよく、その腫瘍（癌性の）組織が壊死するか又は除去されるようにする。例えば、高密度焦点式超音波ビーム又はRF又はレーザー切断は、エネルギーを堆積させ、局部的に上昇した温度を生成するために使用してもよい。例えば、心臓の応用において、RF切断又はレーザー切断は、その患者の心筋の導電特性を局部的に変えることによって心不整脈を治療するために使用される。その代わりに、異常高熱治療が、局部的に温度を下げることによって適用されてもよい。
【００２０】
核又は分子の分極に関しては（すなわち、核又は分子双極子）、本発明は、以下の態様を有する。1つの態様によると、磁気共鳴システムが提供される。光に基づいた過分極装置は、転移した軌道角運動量を通して選択された双極子を分極させる。RFシステムは、分極した双極子において共鳴を導き、共鳴信号を受信する。
【００２１】
もう1つの態様によると、表面深針が提供される。光出力ユニットは、患者の組織に侵入するように光を方向付ける。光に基づいて過分極システムは、光を生成するように軌道角運動量を分け与える。軌道角運動量に分け与えられた光は、患者において選択された双極子を分極化するために、光出力ユニットを通して放出される。
【００２２】
本発明のこれら及び他の態様は、以下に記載される実施形態及び付属の図表に関して解明されるであろう。
【図面の簡単な説明】
【００２３】
【図１】本出願に従って、磁気共鳴画像装置を概略的に示す図である。
【図２】OAMが与えられた光に対する模範的な光学素子の配置を示す図である。
【発明を実施するための形態】
【実施例】
【００２４】
図1に示されるように、1つの実施形態において、上記に記載されたようなOAMが与えられた光の発光装置が、磁気共鳴走査器40とともに使用される。OAMが与えられた光の発光装置20の詳細は、図2に示されている。
【００２５】
磁気共鳴走査器40は、垂直の主要磁石アセンブリ42を含むオープン磁場システム（オープンMRIシステム）であり得る。その主要磁石アセンブリ42は、画像領域の縦軸に沿って配向された実質的に一定の主要磁場を生成する。垂直主要磁石アセンブリ42が示されているが、当然のことながら、円筒形などの他の磁石配置及び他の構成も考察される。
【００２６】
勾配コイル・アセンブリ44は、その主要磁場を空間符号化するために画像領域において傾斜磁場を生成する。望ましくは、その勾配磁場コイル・アセンブリ44は、3つの直交方向、通常縦方向又はz、横方向又はx、及び垂直又はy方向において、勾配磁場パルスを生成するように構成されている。主要磁石アセンブリ42及び傾斜磁場アセンブリ44の両方は、いくつかの実施形態において、光子分極と一緒に使用される。
【００２７】
ラジオ周波数コイル・アセンブリ46（ヘッド・コイルとして示されるが、表面及び全身用コイル（body  coil）も考察される）は、対象物の双極子において共鳴励起するためにラジオ周波数パルスを生成する。そのラジオ周波数コイル・アセンブリ46は、また、画像領域から発せられる共鳴信号を検出する働きもする。そのラジオ周波数コイル・アセンブリ46は、以前に設立した分極の光子摂動を補足するために使用することができる。
【００２８】
勾配パルス増幅器48は、選択された勾配磁場を生成するために、勾配磁場アセンブリ44に制御された電流を供給する。ラジオ周波数送信器50は、望ましくはデジタルであり、ラジオ周波数パルス又はパルス・パケットを、そのラジオ周波数コイル・アセンブリ46に加えて選択された共鳴を励起する。ラジオ周波数受信器52は、そのコイル・アセンブリ46又は別の受信コイルに結合されており、誘導された共鳴信号を受信し復調する。
【００２９】
例えば、検査されるか又は高密度焦点式超音波で治療される患者などの対象物22の共鳴撮像データ22を取得するために、その対象物は、撮像領域の内部に配置される。シーケンス・コントローラ54は、その勾配増幅器48及びラジオ周波数送信器50と通信し、対象の領域の光子操作を補足する。そのシーケンス・コントローラ54は、例えば、選択された繰り返されるエコー定常状態又は他の共鳴シーケンスを生成し、そのような共鳴を空間符号化し、選択的に共鳴を操作するか又は壊し、その他の場合はその対象物の選択された磁気共鳴信号特性を生成する。生成された共鳴信号は、RFコイル・アセンブリ46によって検出され、ラジオ周波数受信器52に通信され復調されて、k空間メモリ56に保存される。その撮像データは、画像メモリ60に保存される1つ以上の画像表現を生成するために、再構成プロセッサ58によって再構成される。1つの適切な実施形態において、その再構成プロセッサ58は、フーリエ逆変換再構成を実施する。
【００３０】
結果としてもたらされる画像表現は、ビデオ・プロセッサ62によって処理され、人間に解読可能な表示部を備えたユーザー・インターフェース64において表示される。そのインターフェース64は、パソコン又はワークステーションであることが望ましい。ビデオ画像を生成するよりもむしろ、その画像表現は、プリンター・ドライバによって処理されてプリントされ、コンピュータ・ネットワーク又はインターネット又はそれに似たものを通して送信されてよい。望ましくは、そのインターフェース64は、また、磁気共鳴イメージング・シーケンスの選択、イメージング・シーケンスの修正、イメージング・シーケンスの実行などをするために、放射線技師又は他の操作者がそのシーケンス・コントローラ54と通信することも可能にする。
【００３１】
さらに、高密度焦点式超音波（HIFU）システム70は、本発明の磁気共鳴検査システムに取り入れられる。そのHIFUシステム70は、検査される患者22の内部において標的ゾーンに焦点式超音波ビーム74を放射するように構成されている。そのためには、HIFUシステム70は、HIFUコントローラ71によって制御されるトランスデューサ・アレイで満たされる。その高密度焦点式超音波ビームは、それの焦点が合わせられる標的ゾーンにおいて上昇した温度を生成する。その上昇した温度は、標的ゾーンにおいて細胞死（壊死）を生じさせる。従って、例えば、癌性組織は、腫瘍が広がらないように且つ究極な腫瘍組織が除去されるようになされる。高密度焦点式超音波ビームはその標的ゾーンの隣の健全な組織が損傷を受けないように、正確に制御される。本発明によると、その焦点式超音波ビームは、標的ゾーンにおける温度分布に基づいて制御される。その温度分布は、RF受信器によって取得される磁気共鳴信号から得られる。温度モジュール72は、磁気共鳴信号を受信し、その磁気共鳴信号における位相情報から局部的な温度を導き出す。特に、その局部的な温度分布は、その局部的温度を位置（その患者の人体における磁気共鳴画像又は均等物において）の関数として表わすいわゆる温度マップの形で集められる。その温度マップは、HIFUコントローラに入力として適用され、それは次に、縁内において所定の温度分布が達成されるように、現在の温度マップに基づいて高密度焦点式超音波ビーム方向及び／又は密度を制御する。運動修正ユニット73は、RF受信器から磁気共鳴信号を受信するように配置されている。その運動修正ユニット73に適用される磁気共鳴信号は、例えば、k空間の中心領域からの高い冗長性を持つ磁気共鳴信号、例えば、PROPELLOR取得又はMRナビゲータ信号の形における、例えば、明確な人体構造の推移がある小さい領域からの位相符号化されていない磁気共鳴信号である。特に、肝臓腫瘍及び腎臓腫瘍などの可動性組織の温度測定法（HIFUを制御するために）に適用される場合に、実際に良い結果が得られる。
【００３２】
図2を参照すると、光学素子の模範的な配置が、OAMが与えられた光に対して示されている。当然のことながら、電磁放射線は、必ずしも可視光線だけではなく、いずれにもOAMが与えられる。記載される実施形態は、対象の分子と相互作用し、生体組織に如何なる損傷効果も有さない可視光を利用する。しかし、可視光スペクトルの上下の光／放射線も考察される。白色光源22は、ビーム拡張器24に送信される可視白色光を生成する。代替の実施形態において、その光源の周波数及び干渉性は、慎重に選択された場合はその信号を操作するために使用することができるが、そのような精度は絶対不可欠ではない。ビーム拡張器は、放射光を狭いビームにコリメートするための入口コリメータ251、凹型又は分散レンズ253、再焦点式レンズ253、及び光の最も散乱が少ない周波数が放射される出口コリメータ254を含む。1つの実施形態において、その出口コリメータ254は、そのビームを1mmビームに縮小する。
【００３３】
そのビーム拡張器24の後に、その光ビームは、直線偏光子26そして4分の1波長板28によって円偏光される。その直線偏光子26は、偏光されていない光を取り、単一の直線偏光を与える。その4分の1波長板28は、その直線偏光された光の移送を1/4波長によってシフトし、円偏光する。円偏光された光の使用は絶対不可欠ではないが、分極化する電子のさらなる利点を有する。
【００３４】
次に、その円偏光された光は、位相ホログラム30の中を通過する。その位相ホログラム30は、OAMの一部及びスピンを入射ビームに分け与える。そのOAMの値「l」は、その位相ホログラム30に依存するパラメータである。1つの実施形態において、OAMの値l=40が入射光に分け与えられるが、より高いlの値も理論的に可能である。位相ホログラム30は、コンピュータで生成された素子であり、1280×720ピクセル、20×20μm2で1μmのセルギャップを持つLiquid  Crystal  on  Silicon（LCoS）パネルなどの空間光変調器において物理的に具現化される。その代わりに、その位相ホログラム30は、円筒形レンズ又は波長板の組み合わせなど、他の光学系において具現化することができる。その空間光変調器は、走査中でさえも、LCoSパネルへの単純なコマンドで変更可能であるという追加の利点を有する。
【００３５】
そのホログラフィー板30を通過する全ての光にOAM及びスピンが分けられるわけではない。図4を参照すると、ホログラフィー板30を通過する光の投影が描かれている。一般的に、同じ位相を持つ電磁波が開口を通過するとき、それは、その開口からいくらか離れた距離において同心円のパターン（エアリー・パターン）に回折される。その真ん中にある輝点（エアリー円盤）32は、ゼロ次回折を表わし、この場合はOAMを持たない光である。その輝点32の隣の縁34は、OAMを持ち運ぶ異なる調波の回折ビームを表わす。この分布は、分子とのOAM相互作用の確立は、光ビームの中心から離れた点又はその光ビームの中心においてゼロに落ちることから生じる。相互作用が最も高い確率で起こる場所は、最大場分布に対応する半径、つまり、エアリー円盤に近い円において起こる。従って、そのOAM相互作用の最大確立は、エアリー円盤半径に可能な限り近い半径を持つ光ビームで得られる。
【００３６】
図2を参照すると、空間フィルタ36が、OAM及びスピンを持つ光だけを選択的に通過させるように、ホログラフィー板の後に配置される。そのようなフィルタの例は、図5に示されている。ゼロ次点32は、常に、予測可能な点において現れることから、ブロックうすることができる。示されるように、フィルタ36は、OAMを持つ光が通過することを可能にする。フィルタ36は、また、輝点32の下及び右に生じる円をブロックすることに注目されたい。そのシステムのOAMは保存されることから、この光は、フィルタ36が通過させる光のOAMとは等しく且つ反対のOAMを有する。全ての光に通過させることは逆効果を招く。なぜならば、標的分子に転移した最終的なOAMはゼロだからである。従って、フィルタ36は、1つの極性のOAMを有する光だけが通過することを可能にする。
【００３７】
図2を引き続き参照すると、OAMを持つ回折ビームは、凹型ミラー38を使用して集められ、高速顕微鏡対物レンズ40で対象の領域において焦点が合わせられる。そのミラー38は、コヒーレント光が使用された場合は不要である。より高速のレンズ（高いF値を有する）は、エアリー円盤のサイズに可能な限り近いビームウエストの状態を満たすことが望ましい。代替の実施形態において、レンズ40は、代替の光ガイド（light  guide）又は光ファイバーで置き換えられるか又は補足してもよい。
【図１】
2012529960.tif 000003
【図２】
2012529960.tif 000004
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
磁気共鳴検査システムであり、
‐分極化した核磁気双極子において共鳴を誘導し、検査されるべき物体から磁気共鳴信号を受信するためのRFシステム、
‐該磁気共鳴信号から前記検査されるべき物体の温度分布を導き出すための温度測定モジュール、を含み、
‐電磁放射線を放射するための光子源、
‐軌道角運動量を前記電磁放射線に分け与えるために位相ホログラムを含むモード変換器、
‐転移した軌道角運動量によって前記核磁気双極子を分極化するために、位相ホログラムから軌道角運動量が与えられた回折光子ビームを選択するための空間フィルタ、
を持つフォトニックがベースである過分極装置、
をさらに含む、磁気共鳴検査システム。
【請求項２】
前記検査されるべき物体の運動を検出し、前記温度測定モジュールに運動修正を適用するための運動修正ユニットを含む、請求項1に記載の磁気共鳴検査システム。
【請求項３】
‐対象物において局部的にエネルギーを堆積させるための治療モジュール、
‐請求項1に記載の磁気共鳴検査システム、及び
‐前記温度測定モジュールによって供給される温度分布に基づいて、前記治療モジュールを制御するための治療コントローラ、
を含む、治療アセンブリ。
【手続補正２】
【補正対象書類名】明細書
【補正対象項目名】０００６
【補正方法】変更
【補正の内容】
【０００６】
この目的は、本発明の磁気共鳴検査システムによって成し遂げられ、そのシステムは、
‐分極した核磁気双極子において共鳴を誘導し、検査される物体から磁気共鳴信号を受信するためのRFシステム、
‐検査されるべき物体の温度分布を磁気共鳴信号から導き出すための温度測定モジュール、
を含み、その磁気共鳴検査システムは、さらに、
‐電磁放射線を放射するための光子源、
‐軌道角運動量をその電磁放射線に分け与えるために位相ホログラムを含むモード変換器、
‐位相ホログラムから転移した軌道角運動量によって核磁気双極子を分極化させるための、軌道角運動量が与えられた回折光子ビームを選択するための空間フィルタ、
を持つフォトニックをベースとした過分極装置、を含む。
【国際調査報告】
2012529960.tif 000005
2012529960.tif 000006
2012529960.tif 000007
2012529960.tif 000008
2012529960.tif 000009
2012529960.tif 000010
2012529960.tif 000011